(57)【要約】【課題】会議の内容に応じた適切な議事録を作成することができる議事録作成装置を提供する。【解決手段】複数のユーザ端末で作成された複数のユーザ別議事録を取得するユーザ別議事録取得部１１と、ユーザ別議事録取得部１１により取得された前記複数のユーザ別議事録から該ユーザ別議事録を構成する複数の議事録メモを抽出する議事録メモ抽出部１２と、議事録メモ抽出部１２により抽出された前記複数の議事録メモを、該議事録メモの作成日時及び内容に基づいて、複数のグループにグループ化するグルーピング部１３と、グルーピング部１３によりグループ化されたグループに属する複数の議事録メモのうち、議事録メモの内容に基づいて１個の議事録メモを選択する議事録メモ選択部１５と、議事録メモ選択部１５により選択された前記議事録メモに基づいて、議事録を作成する議事録作成部１６と、を含む。【選択図】図３
2015038685.tif 000002
【特許請求の範囲】
【請求項１】
複数のユーザ端末で作成された複数のユーザ別議事録を取得するユーザ別議事録取得手段と、
前記ユーザ別議事録取得手段により取得された前記複数のユーザ別議事録から該ユーザ別議事録を構成する複数の議事録メモを抽出する議事録メモ抽出手段と、
前記議事録メモ抽出手段により抽出された前記複数の議事録メモを、少なくとも該議事録メモの作成日時に基づいて、複数のグループにグループ化するグルーピング手段と、
前記グルーピング手段によりグループ化されたグループに属する複数の議事録メモのうち、議事録メモの内容に基づいて１個の議事録メモを選択する議事録メモ選択手段と、
前記議事録メモ選択手段により選択された前記議事録メモに基づいて、議事録を作成する議事録作成手段と、
を含むことを特徴とする議事録作成装置。
【請求項２】
前記グルーピング手段は、前記議事録メモ抽出手段により抽出された前記複数の議事録メモについて、該議事録メモの作成日時及び内容に基づいて、前記議事録メモ間の距離を算出し、算出された距離が予め設定された閾値以下となる複数の前記議事録メモをグループ化する、ことを特徴とする請求項１に記載の議事録作成装置。
【請求項３】
前記グルーピング手段は、さらに、前記議事録メモに含まれる会議における発言者の一致度に基づいて、前記議事録メモ間の距離を算出する、ことを特徴とする請求項２に記載の議事録作成装置。
【請求項４】
前記グルーピング手段によりグループ化されたグループに属する複数の議事録メモそれぞれについて、議事録メモに含まれる単語の知識に対するユーザ順位を記憶する記憶手段を参照して、評価値を算出する評価値算出手段をさらに含み、
前記議事録メモ選択手段は、前記グループ化されたグループに属する複数の議事録メモのうち、評価値算出手段により算出された評価値が最大となる議事録メモを選択する、
ことを特徴とする請求項１から３の何れか１項に記載の議事録作成装置。
【請求項５】
前記評価値算出手段は、さらに、ユーザの議事録メモの作成に対する行動に応じて決定された行動評価値を加えて前記評価値を算出する、ことを特徴とする請求項４に記載の議事録作成装置。
【請求項６】
前記評価値算出手段は、ユーザが議事録メモを作成する際に操作手段の削除キーを押下した回数に応じて行動評価値を決定する、ことを特徴とする請求項５に記載の議事録作成装置。
【請求項７】
前記議事録メモには、該議事録メモを作成したユーザの情報と、該議事録メモが作成された作成日時が対応付けられている、ことを特徴とする請求項１から６の何れか１項に記載の議事録作成装置。
【請求項８】
複数のユーザ端末で作成された複数のユーザ別議事録を取得するユーザ別議事録取得手段、
前記ユーザ別議事録取得手段により取得された前記複数のユーザ別議事録から該ユーザ別議事録を構成する複数の議事録メモを抽出する議事録メモ抽出手段、
前記議事録メモ抽出手段により抽出された前記複数の議事録メモを、少なくとも該議事録メモの作成日時に基づいて、複数のグループにグループ化するグルーピング手段、
前記グルーピング手段によりグループ化されたグループに属する複数の議事録メモのうち、議事録メモの内容に基づいて１個の議事録メモを選択する議事録メモ選択手段、及び、
前記議事録メモ選択手段により選択された前記議事録メモに基づいて、議事録を作成する議事録作成手段、
としてコンピュータを機能させるためのプログラム。
【発明の詳細な説明】
【技術分野】
【０００１】
本発明は、議事録作成装置及びプログラムに関する。
【背景技術】
【０００２】
近年、ネットワークを利用した会議システムにおいて、各参加者（ユーザ）がネットワーク接続された各自の端末（ユーザ端末）に会議中の発言内容等のメモを入力すると、各ユーザ端末に入力された複数のメモに基づいて１個の議事録を作成する技術が提案されている。
【０００３】
特許文献１には、遠隔会議の議事録を作成する通信システムが記載されている。この通信システムは、複数のＰＣを備え、遠隔会議を実行する。各ＰＣは、遠隔会議中に、ユーザからの議事録メモの入力を受け付ける。各ＰＣは、入力された議事録メモに時間の情報を対応付ける。ホストＰＣは、各ＰＣから議事録メモを取得し、取得した１または複数の議事録メモの中から、それぞれの議事録メモに対応付けられている時間の情報に基づいて、議事録に含める議事録メモを抽出する。ホストＰＣは、抽出した議事録メモを用いて、遠隔会議の議事録を作成する。
【先行技術文献】
【特許文献】
【０００４】
【特許文献１】特開２０１１−１９７９１４号公報
【発明の概要】
【発明が解決しようとする課題】
【０００５】
本発明は、会議の内容に応じた適切な議事録を作成することができる議事録作成装置及びプログラムを提供することを目的とする。
【課題を解決するための手段】
【０００６】
本発明の請求項１に係る議事録作成装置は、複数のユーザ端末で作成された複数のユーザ別議事録を取得するユーザ別議事録取得手段と、前記ユーザ別議事録取得手段により取得された前記複数のユーザ別議事録から該ユーザ別議事録を構成する複数の議事録メモを抽出する議事録メモ抽出手段と、前記議事録メモ抽出手段により抽出された前記複数の議事録メモを、少なくとも該議事録メモの作成日時に基づいて、複数のグループにグループ化するグルーピング手段と、前記グルーピング手段によりグループ化されたグループに属する複数の議事録メモのうち、議事録メモの内容に基づいて１個の議事録メモを選択する議事録メモ選択手段と、前記議事録メモ選択手段により選択された前記議事録メモに基づいて、議事録を作成する議事録作成手段と、を含むことを特徴とすることを特徴とする。
【０００７】
本発明の請求項２に係る議事録作成装置は、請求項１に記載の構成において、前記グルーピング手段は、前記議事録メモ抽出手段により抽出された前記複数の議事録メモについて、該議事録メモの作成日時及び内容に基づいて、前記議事録メモ間の距離を算出し、算出された距離が予め設定された閾値以下となる複数の前記議事録メモをグループ化する。
【０００８】
本発明の請求項３に係る議事録作成装置は、請求項２に記載の構成において、前記グルーピング手段は、さらに、前記議事録メモに含まれる会議における発言者の一致度に基づいて、前記議事録メモ間の距離を算出する。
【０００９】
本発明の請求項４に係る議事録作成装置は、請求項１から３の何れか１項に記載の構成において、前記グルーピング手段によりグループ化されたグループに属する複数の議事録メモそれぞれについて、議事録メモに含まれる単語の知識に対するユーザ順位を記憶する記憶手段を参照して、評価値を算出する評価値算出手段をさらに含み、前記議事録メモ選択手段は、前記グループ化されたグループに属する複数の議事録メモのうち、評価値算出手段により算出された評価値が最大となる議事録メモを選択する。
【００１０】
本発明の請求項５に係る議事録作成装置は、請求項４に記載の構成において、前記評価値算出手段は、さらに、ユーザの議事録メモの作成に対する行動に応じて決定された行動評価値を加えて前記評価値を算出する。
【００１１】
本発明の請求項６に係る議事録作成装置は、請求項５に記載の構成において、前記評価値算出手段は、ユーザが議事録メモを作成する際に操作手段の削除キーを押下した回数に応じて行動評価値を決定する。
【００１２】
本発明の請求項７に係る議事録作成装置は、請求項１から６の何れか１項に記載の構成において、前記議事録メモには、該議事録メモを作成したユーザの情報と、該議事録メモが作成された作成日時が対応付けられている。
【００１３】
本発明の請求項８に係るプログラムは、複数のユーザ端末で作成された複数のユーザ別議事録を取得するユーザ別議事録取得手段、前記ユーザ別議事録取得手段により取得された前記複数のユーザ別議事録から該ユーザ別議事録を構成する複数の議事録メモを抽出する議事録メモ抽出手段、前記議事録メモ抽出手段により抽出された前記複数の議事録メモを、少なくとも該議事録メモの作成日時に基づいて、複数のグループにグループ化するグルーピング手段、前記グルーピング手段によりグループ化されたグループに属する複数の議事録メモのうち、議事録メモの内容に基づいて１個の議事録メモを選択する議事録メモ選択手段、及び、前記議事録メモ選択手段により選択された前記議事録メモに基づいて、議事録を作成する議事録作成手段、としてコンピュータを機能させるためのプログラムである。このプログラムは、ＣＤ−ＲＯＭやＤＶＤ−ＲＯＭなどのコンピュータ可読情報記憶媒体に格納されてもよい。
【発明の効果】
【００１４】
本発明の請求項１、８の構成によれば、グレープ化された複数の議事録メモのうち、議事録メモの内容に基づいて１個の議事録メモが選択されるため、会議の内容に応じた適切な議事録が作成される。
【００１５】
本発明の請求項２の構成によれば、複数の議事録メモについて容易にグループ化される。
【００１６】
本発明の請求項３の構成によれば、議事録メモに含まれる会議における発言者の一致度に基づいてグループ化される。
【００１７】
本発明の請求項４の構成によれば、知識の豊富なユーザにより議事録が作成されるため、議事録の信頼性が向上する。
【００１８】
本発明の請求項５、６の構成によれば、知識が浅く内容の信頼性が低い議事録の作成が抑制される。
【００１９】
本発明の請求項７の構成によれば、複数の議事録メモが作成日時順に並べられる。
【図面の簡単な説明】
【００２０】
【図１】本実施形態に係る議事録作成システムの全体構成図である。
【図２】本実施形態に係る議事録作成装置のハードウェア構成図である。
【図３】議事録作成装置の機能ブロック図である。
【図４】議事録作成装置の動作フロー図である。
【図５】ユーザ別議事録の一例である。
【図６】ユーザ別議事録ＤＢの一例である。
【図７】議事録メモの一例である。
【図８】議事録メモＤＢの一例である。
【図９】議事録メモの一例である。
【図１０】議事録メモテーブルの一例である。
【図１１】議事録メモ間の距離の一例である。
【図１２】評価値算出部の動作フロー図である。
【図１３】議事録メモの一例である。
【図１４】ランキングＤＢの一例である。
【図１５】議事録メモ毎の評価値の結果を示す図である。
【図１６】議事録の一例である。
【図１７】議事録メモの一例である。
【図１８】議事録メモ毎の評価値の結果を示す図である。
【図１９】議事録メモ毎の評価値の結果を示す図である。
【発明を実施するための形態】
【００２１】
本発明の一実施形態について、図面を用いて以下に説明する。
【００２２】
図１は、本実施形態に係る議事録作成システムの全体構成図である。同図に示すように、議事録作成システムは、会議の議事録を作成する議事録作成装置１０と、議事録作成装置１０に通信ネットワーク２０を介して接続された複数のユーザ端末３０とを含んで構成されている。議事録作成装置１０と各ユーザ端末３０とは、ＬＡＮ（Local Area Network）やインターネット等の通信ネットワーク２０を介して相互にデータの送受信を行う。
【００２３】
議事録作成システムでは、例えば通信ネットワーク２０を利用した会議システムにおいて、会議に参加する複数の参加者（ユーザ）がそれぞれ各自のユーザ端末３０を使用して会議中の発言内容等のメモを入力して議事録（ユーザ別議事録）を作成し、議事録作成装置１０が、各ユーザ端末３０から受信する複数のユーザ別議事録に基づいて、１個の議事録を作成するものである。会議システムには、同一室内（会議室）に在席するユーザのみが参加する会議システム、遠隔地のユーザが参加する遠隔会議システム、テレビや電話を利用した会議システム等、様々な会議システムの形態が含まれる。
【００２４】
図２は、議事録作成装置１０のハードウェア構成図である。同図に示すように、議事録作成装置１０は、通信部１、ＣＰＵ２、メモリ３、及び記憶部４を含むコンピュータである。これらのハードウェア要素はバスにより相互にデータの授受が可能に接続されている。通信部１は、通信ネットワーク２０（例えば社内ＬＡＮ）を介してユーザ端末３０とデータ通信する。ＣＰＵ２は装置各部を制御したり、各種の情報処理を実行したりする。メモリ３は、各種のプログラムやデータを保持する。またメモリ３には、ＣＰＵ２の作業領域も確保される。議事録作成装置１０は、例えば管理者が管理する管理サーバとすることができる。
【００２５】
記憶部４には、ユーザ別議事録ＤＢ４ａ、ユーザ別議事録メモＤＢ４ｂ、及びランキングＤＢ４ｃ等のデータベースが含まれている。各データベースの具体例は後述する。
【００２６】
ユーザ端末３０は、ＬＡＮやインターネット等の通信ネットワーク２０に接続可能な端末装置である。各ユーザは、各自のユーザ端末３０を用いて、会議中に発言者の発言内容等を入力して議事録（ユーザ別議事録）を作成する。また、ユーザ端末３０は、議事録作成装置１０から、議事録作成装置１０により作成される議事録を受け取る。ユーザ端末３０には、ブラウザや電子メールクライアント等のソフトウェアが組み込まれている。ユーザ端末３０としては、例えば、パーソナルコンピュータ、ＰＤＡ（Personal Digital Assistant）、スマートフォン等の携帯情報端末等が用いられる。
【００２７】
ここで、議事録作成装置１０における議事録の作成方法について、図３及び図４を用いて説明する。
【００２８】
図３は、議事録作成装置１０の機能ブロック図である。同図に示すように、議事録作成装置１０は、ユーザ別議事録取得部１１（ユーザ別議事録取得手段）、ユーザ別議事録メモ抽出部１２（議事録メモ抽出手段）、グルーピング部１３（グルーピング手段）、評価値算出部１４（評価値算出手段）、議事録メモ選択部１５（議事録メモ選択手段）、及び議事録作成部１６（議事録作成手段）を含んでいる。
【００２９】
図４は、議事録作成装置１０の動作フロー図である。
【００３０】
まず会議中に各ユーザは各自のユーザ端末３０を用いて議事録（ユーザ別議事録）を作成する。図５には、ユーザＡが作成したユーザ別議事録の一例を示している。ユーザ別議事録には、入力したユーザの情報と、作成時刻（作成日時）の情報とが対応付けられている。具体的には、議事録内において文章の改行が入力された時点の時刻が、議事録を構成する各文章（議事録メモ）に対応付けられる。例えば図５に示すように、「Ｎ役員：Ｓ活動は、今後どうしていきたいのか？結局どういう提案なのか？」の議事録メモには、ユーザＡの情報と作成時刻「１０時０１分００秒」とが対応付けられる。図５では便宜上、各議事録メモに作成時刻を示しているが、ユーザ端末３０には作成時刻が表示されなくてもよい。ユーザ別議事録はテキストファイルの形式で作成、保存される。各ユーザは、作成したユーザ別議事録を議事録作成装置１０へ送信する。
【００３１】
なお、ユーザ端末３０は、会議中に発言された音声を認識してユーザ別議事録を作成してもよい。認識した音声をテキストデータへ変換する方法は周知の方法を用いることができる。
【００３２】
次に、議事録作成装置１０のユーザ別議事録取得部１１は、各ユーザ端末３０から送信された各ユーザ別議事録を取得する（図４のＳ１０１）。ユーザ別議事録取得部１１は、取得した各ユーザ別議事録をユーザ別議事録ＤＢ４ａに記憶する。例えば図５に示すユーザＡのユーザ別議事録が、ユーザ別議事録ＤＢ４ａに記憶される。図６には、ユーザ別議事録ＤＢ４ａにユーザＡ、Ｂ、Ｃのユーザ別議事録が記憶されている様子を示している。
【００３３】
次に、ユーザ別議事録メモ抽出部１２は、ユーザ別議事録ＤＢ４ａを参照して、ユーザ別議事録毎に議事録メモを抽出する（Ｓ１０２）。議事録メモは、議事録を構成する各文章である。ここでは、改行された時点で区切った文章が１個の議事録メモとして特定される。図７は、ユーザＡのユーザ別議事録（図５参照）を構成する複数の議事録メモを示している。各議事録メモには、メモＩＤ、ユーザ情報、作成時刻（作成日時）、及びメモ内容が対応付けられている。ユーザ別議事録メモ抽出部１２は、各ユーザ別議事録をそれぞれ複数の議事録メモに分割してユーザ別議事録メモＤＢ４ｂに記憶する。図８には、ユーザ別議事録メモＤＢ４ｂにユーザＡ、Ｂ、Ｃの議事録メモが記憶されている様子を示している。
【００３４】
なお、ユーザが句点を入力した時点で区切った文章を１個の議事録メモとして規定してもよいし、会議における発言者を示す予め設定された記号「：」に基づき区切った文章を１個の議事録メモとして規定してもよい。図９は、後者の場合における、ユーザＡのユーザ別議事録（図５参照）を構成する複数の議事録メモを示している。
【００３５】
次に、グルーピング部１３は、ユーザ別議事録メモＤＢ４ｂを参照して、作成時刻及びメモ内容が近似する議事録メモをグループ化する。以下、グルーピング部１３の具体的な構成について説明する。
【００３６】
まず、グルーピング部１３は、ユーザ別議事録メモＤＢ４ｂを参照して全ての議事録メモ（ここでは、ユーザＡ、Ｂ、Ｃの議事録メモ）を作成時刻順に並べて議事録メモテーブルを作成する。図１０は、議事録メモテーブルの一部を示している。次に、グルーピング部１３は、議事録メモの作成時刻及びメモ内容に基づいて、各議事録メモ間の距離を算出する（Ｓ１０３）。議事録メモ間の距離Ｄ（ｘｙ）は、例えば以下の式（１）により算出される。
D(xy)＝max{0，100-10×（ＩＤ(x)・ＩＤ(y)における同一単語数）＋（作成時刻差）＋1000×（作成時刻差が１分以上の場合⇒１，１分未満の場合⇒０）}・・・（１）
上記式（１）において、ｘ、ｙはメモＩＤの番号を示し、各係数は適宜設定される。図１１は、上記式（１）により算出された各議事録メモ間の距離を示している。なお、各議事録メモ間の距離の算出方法は上記方法に限定されない。例えば、グルーピング部１３は、議事録メモの作成時刻、メモ内容、及び発言者の一致度に基づいて、各議事録メモ間の距離を算出してもよい。なおメモ内容における単語の一致度の判断は、例えば形態素解析を用いることができる。
【００３７】
次に、グルーピング部１３は、算出した議事録メモ間の距離が予め設定された閾値以下となる議事録メモが存在するか否かを判定する（Ｓ１０４）。ここでは例えば、閾値は８０に設定される。グルーピング部１３は、議事録メモ間の距離が閾値以下である議事録メモを同一グループに設定する（Ｓ１０５）。図１１に示す算出結果において閾値が８０の場合、議事録メモは、メモＩＤ{１，２，３}、{４}、{５}、{６，８，９}、{７}の５個にグループ化される。なお、メモＩＤ８，９の距離は「８４」（図１１参照）であるが、メモＩＤ６，８が同一グループとなり、メモＩＤ６，９が同一グループとなるため、メモＩＤ６，８，９は同一グループとなる。グルーピングの方法は上記方法に限定されず、周知の方法を用いることができる。
【００３８】
グルーピング部１３により議事録メモがグループ化されると、次に評価値算出部１４は、議事録メモの評価値を算出する（Ｓ１０６）。ここで、評価値算出部１４における評価値算出方法について説明する。図１２は、評価値算出部１４の動作フロー図である。
【００３９】
まず、評価値算出部１４は、グループ毎に、該グループに属する複数の議事録メモに含まれる単語Ｗ（ｎ）を抽出する（Ｓ２０１）。ここではメモＩＤ{６，８，９}の議事録メモが属するグループを例に挙げる。図１３には、メモＩＤ{６，８，９}の議事録メモを示している。評価値算出部１４は、メモＩＤ{６，８，９}の議事録メモに含まれる５個（ｎ＝５）の単語Ｗ（１）：「Ｎ役員」、Ｗ（２）：「Ｓ活動」、Ｗ（３）：「ビジネス」、Ｗ（４）：「検証」、Ｗ（５）：「ＯＣ」を抽出する。
【００４０】
次に、評価値算出部１４は、ランキングＤＢ４ｃを参照して、議事録メモ毎に、ユーザに応じて予め設定された単語Ｗ（ｉ）の評価値を取得する（Ｓ２０２）。ランキングＤＢ４ｃには、単語の知識（詳しさ）に対するユーザランキング（順位）が登録されている。例えば図１４に示すように、単語Ｗ（２）：「Ｓ活動」については、１位がユーザＦで評価値が１０点に設定され、ユーザＣは２位で評価値が８点、ユーザＡは３位で評価値が７点、ユーザＢは４位で評価値が５点に設定されている。評価値算出部１４は、抽出した単語Ｗ（１）からＷ（ｎ）について上記Ｓ２０２の処理を繰り返し（Ｓ２０３）、全ての単語について上記評価値を取得する。
【００４１】
最後に、評価値算出部１４は、全ての単語について取得した評価値を、議事録メモ毎に合算して合計評価値を算出する（Ｓ２０４）。図１５は、議事録メモ毎（メモＩＤ毎）の、各単語の評価値及び合計評価値を示している。
【００４２】
上記処理により議事録メモの評価値が算出されると（図４のＳ１０６）、続いて、議事録メモ選択部１５は、同一グループに属する複数の議事録メモのうち合計評価値（図１５参照）が最大となる議事録メモを選択する（Ｓ１０７）。例えばメモＩＤ{６，８，９}の議事録メモが属するグループでは、議事録メモ選択部１５は、合計評価値が最大「３７」となるメモＩＤ６の議事録メモを選択する。またメモＩＤ{１，２，３}の議事録メモが属するグループでは、議事録メモ選択部１５が、合計評価値が最大となるメモＩＤ１の議事録メモを選択したと仮定する。
【００４３】
各グループにおいて合計評価値が最大となる議事録メモがそれぞれ選択されると、議事録作成部１６は、グループ毎に選択された議事録メモを合成して１個の議事録を作成する（Ｓ１０８）。ここでは、メモＩＤ{１，２，３}、{４}、{５}、{６，８，９}、{７}の５個のグループ毎に選択された、メモＩＤ{１}、{４}、{５}、{６}、{７}の議事録メモを合成して１個の議事録を作成する。図１６は、議事録作成部１６により作成された議事録を示している。
【００４４】
ここでＳ１０３において算出された議事録メモ間の距離が閾値以下となる議事録メモが存在しない場合（Ｓ１０４にてＮＯ）はＳ１０８に移行し、議事録作成部１６は、各議事録メモを合成して１個の議事録を作成する。
【００４５】
議事録作成部１６は、作成した議事録を、通信部１を介して各ユーザ端末３０へ送信する。また議事録作成部１６は、作成した議事録を記憶部４に記憶する。
【００４６】
上記議事録作成装置１０の構成によれば、会議の内容に応じた適切な議事録を作成することができる。
【００４７】
議事録作成装置１０の議事録作成方法は上記方法に限定されない。例えば、議事録メモ選択部１５は、同一グループに属する複数の議事録メモのうち合計評価値が最大となる議事録メモを選択した後、選択した議事録メモが同一グループ内において、最大グループに属するか否かを判定し、含まれない場合は、最大グループに属する他の議事録メモのうち合計評価値が最大となる議事録メモを選択する。以下、具体例を示す。
【００４８】
図１７は、グループ化されたメモＩＤ{１０，１１，１２}の議事録メモを示し、図１８は、議事録メモ毎（メモＩＤ毎）の、各単語の評価値及び合計評価値を示している。議事録メモ選択部１５は、メモＩＤ{１０，１１，１２}の議事録メモのうち合計評価値が最大となるメモＩＤ１２を選択した後、メモＩＤ１２の議事録メモが、同一グループ内において、最大グループに属するか否かを判定する。ここで最大グループとは、１個のグループ内をさらに複数のグループに細分した場合に、複数のグループのうち属する議事録メモの数が最も多いグループをいう。１個のグループをさらに細かくグループ化するには、例えば上記式（１）により算出した距離の判定に用いる閾値を厳しく（小さく）して再グループ化すればよい。例えばメモＩＤ{１０，１１，１２}の議事録メモが属するグループをさらにグループ化すると、メモＩＤ{１０，１１}、{１２}の２個のグループに細分される。この場合、最大グループはメモＩＤ{１０，１１}の議事録メモが属するグループとなる。よって、メモＩＤ１２の議事録メモは、最大グループに属さないことになる。
【００４９】
この場合、議事録メモ選択部１５は、最大グループに属するメモＩＤ{１０，１１}の議事録メモのうち、合計評価値が最大となるメモＩＤ１０の議事録メモを選択する。
【００５０】
これにより、例えば内容に誤りが含まれる議事録メモが選択され、誤った議事録が作成されることを防ぐことができる。図１７の例では、ユーザＣが記録した「９月末」は誤りであり、多数意見である、複数のユーザＡ，Ｂが記録した「３月末」が正しい可能性が高い。このような場合に適切な議事録が作成される。
【００５１】
また、上記議事録作成装置１０において、評価値算出部１４は、ユーザの議事録メモの作成に対する行動を評価項目に加えて、議事録メモ毎に合計評価値を算出してもよい。ユーザの行動とは、例えば議事録メモの作成時にユーザがキーボード（操作手段）の削除キーを入力（押下）した回数や、議事録メモの作成に要した時間等をいう。削除キーの入力回数が多い場合や、議事録メモの作成時間が長い場合は、ユーザがその内容についての知識が浅く内容の信頼性が低いことが想定されるため、該当する議事録メモについてマイナスの行動評価値を加える。図１９には、行動評価値（例えば削除キーの回数）の項目が追加されており、ユーザＡがメモＩＤ６の議事録メモを作成する際に削除キーを１０回入力した場合（行動評価値＝−１０）を示している。この場合、議事録メモ選択部１５は、メモＩＤ{６，８，９}の議事録メモグループにおいて、合計評価値が最大「３０」であるメモＩＤ９を選択する。
【００５２】
また、上記議事録作成装置１０において、グルーピング部１３は、議事録メモの作成時刻だけに基づいて、各議事録メモ間の距離を算出してグループ化してもよい。議事録メモの内容を考慮せずにグループ化した場合、例えばグループ内には、同じ議題に関して異なる意見が入力された議事録メモが含まれることが考えられる。この場合は、グループに属する複数の議事録メモのうち、多数意見の議事録メモを再グループ化し、再グループ化されたグループにおいて１個の議事録メモを選択する。また、グループに属する複数の議事録メモを、議事録メモを作成したユーザの情報に基づいて再グループ化し、再グループ化されたグループにおいて１個の議事録メモを選択してもよい。
【００５３】
また、同じ議題に関して異なる意見が入力されている議事録メモが存在する場合、会議中に揉めた内容であることが考えられる。そこで、同一グループに属する議事録メモの数が多い場合は重要な内容であると判断し、該当する議事録メモを議事録において強調表示してもよい。また、多数意見のうちで選択された議事録メモと、異なる意見の議事録メモとを議事録に含めてもよい。
【００５４】
また、上記議事録作成装置１０は、議事録メモの無駄（議事録に残すほどのものでない）を抽出し、議事録メモから除去する手段を含んでいてもよい。無駄な議事録メモとしては、例えば、単なるコメントや、会議参加者が多数の場合に少数の参加者しかメモしていない内容等である。
【００５５】
議事録作成装置１０は図３に示す構成に限定されない。例えばユーザ別議事録取得部１１及びユーザ別議事録メモ抽出部１２は、ユーザ端末３０に含まれていてもよい。
【００５６】
上述した議事録作成装置１０に備えられる上記の各部の機能は、ＣＰＵ等の制御手段、メモリ等の記憶手段、外部デバイスとデータを送受信する入出力手段等を備えたコンピュータが、コンピュータ読み取り可能な情報記憶媒体に格納されたプログラムを読み込み実行することで実現されるものとしてもよい。なお、プログラムは光ディスク、磁気ディスク、磁気テープ、光磁気ディスク、フラッシュメモリ等の情報記憶媒体によってコンピュータたる議事録作成装置１０に供給されることとしてもよいし、インターネット等のデータ通信網を介して議事録作成装置１０に供給されることとしてもよい。
【符号の説明】
【００５７】
１  通信部、２  ＣＰＵ、３  メモリ、４  記憶部、４ａ  ユーザ別議事録ＤＢ、４ｂ  ユーザ別議事録メモＤＢ、４ｃ  ランキングＤＢ、１０  議事録作成装置、１１  ユーザ別議事録取得部、１２  ユーザ別議事録メモ抽出部、１３  グルーピング部、１４  評価値算出部、１５  議事録メモ選択部、１６  議事録作成部、２０  ネットワーク、３０  ユーザ端末。
【図１】
2015038685.tif 000003
【図２】
2015038685.tif 000004
【図３】
2015038685.tif 000005
【図４】
2015038685.tif 000006
【図５】
2015038685.tif 000007
【図６】
2015038685.tif 000008
【図７】
2015038685.tif 000009
【図８】
2015038685.tif 000010
【図９】
2015038685.tif 000011
【図１０】
2015038685.tif 000012
【図１１】
2015038685.tif 000013
【図１２】
2015038685.tif 000014
【図１３】
2015038685.tif 000015
【図１４】
2015038685.tif 000016
【図１５】
2015038685.tif 000017
【図１６】
2015038685.tif 000018
【図１７】
2015038685.tif 000019
【図１８】
2015038685.tif 000020
【図１９】
2015038685.tif 000021